(57)【要約】【課題】従来の飛行体は、推進燃料を多量に使用するため、推進燃料の製造費が相当に割高である。従って、飛行体の運行費を抑えるための推進手段を提供する事を課題とする。【解決手段】本発明の磁力推進飛行体の運行費を抑えるための推進手段として、推進燃料より安価なコイル・蓄電池・スイッチ等を使用して、一方の連続的な磁場に相対する他方の断続的な磁場を繰り返し反発させる。【選択図】図３
2007154734.tif 000002
【特許請求の範囲】
【請求項１】
一方のコイルと相対する他方のコイルの同極同士の磁場を反発させる事により、推進力
を発生させる。前記の推進力で運行する磁力推進飛行体。
【発明の詳細な説明】
【技術分野】
【０００１】
本発明は、磁場の反発力により、加速又は減速する磁力推進飛行体に関する。
【背景技術】
【０００２】
従来の飛行体は、推進燃料の噴射の反動力で、加速又は減速している。
【発明の開示】
【発明が解決しようとする課題】
【０００３】
従来の飛行体は、推進燃料をたくさん使用するため、推進燃料の製造費がかなり割高で
ある。従って、運行費を抑える事を課題とする。
【課題を解決するための手段】
【０００４】
本発明の磁力推進飛行体の運行費を抑える手段として、推進燃料より安価なコイルと蓄
電池等を使用する。
【発明の効果】
【０００５】
本発明の磁力推進飛行体に使用するコイルと蓄電池等は、推進燃料より安価であるため、大量生産が期待できる。
【発明を実施するための最良の形態】
【０００６】
本発明の磁力推進飛行体の進行方向側に一方のコイルを設置して、相対する反進行方向側に他方のコイルを設置する。それぞれのコイルは、同極を向かい合わせとする。コイルの電源は、蓄電池・原子力電池・燃料電池・太陽電池等のいずれか又は複合で使用する。推進力を与える手段として、進行方向側の一方のコイルに連続的な磁場（スイッチを入れる操作）を発生させて、相対する反進行方向側の他方のコイルに断続的な磁場（スイッチの入り切りの繰り返し操作)を発生させる。断続的な磁場が相対する連続的な磁場に反発を繰り返す事により、断続的な推進力が生じる。従って、断続的な推進力の方向に、加速又は減速が生じる。
【０００７】
断続的な磁場の発生周期を相当に速くすると、単位時間当たりの反発作用の回数が増加するため、加速度又は減速度が大きくなる。
【０００８】
一方のコイルの断続的な磁場を連続的な磁場に変換して、相対する他方のコイルの連続的な磁場を断続的な磁場に変換すると、推進方向が逆転する。つまり、加速から減速又は減速から加速に切り替わる。
【産業上の利用可能性】
【０００９】
本発明の磁力推進飛行体は、推進作用が働くため、宇宙船等の軌道や宇宙空間での加速飛行や減速飛行が利用できる可能性がある。
【００１０】
一方のコイルと他方のコイルの磁力が相当に大きくて、断続的な磁場の発生周期が相当に速ければ、地上の打ち上げ基地から飛行体の打ち上げが利用できる可能性がある。
【図面の簡単な説明】
【００１１】
【図１】連続的な磁場が発生するコイルの平面図と磁場発生室の外壁の断面図である。
【図２】断続的な磁場が発生するコイルの平面図と磁場発生室の外壁の断面図である。
【図３】磁場発生室と電気操作室の断面図である。
【符号の説明】
【００１２】
１    磁場発生室の外壁
２    連続的な磁場が発生するコイル(断続的な磁場にも対応)
３    断続的な磁場が発生するコイル(連続的な磁場にも対応)
４    連続的な電気が流れる電線
５    断続的な電気が流れる電線
６    全ての電線
７    電線を通す穴
８    電気操作室の外壁
９    電源(蓄電池・原子力電池・燃料電池・太陽電池等)
１０  スイッチの入り切り(連続的な電気と断続的な電気)を操作する機器
【図１】
2007154734.tif 000003
【図２】
2007154734.tif 000004
【図３】
2007154734.tif 000005
【手続補正書】
【提出日】平成18年1月5日(2006.1.5)
【手続補正１】
【補正対象書類名】特許請求の範囲
【補正対象項目名】全文
【補正方法】変更
【補正の内容】
【特許請求の範囲】
【請求項１】
双方のコイルの同極同士を向かい合わせにして、一方の連続的な磁場に相対する他方の断続的な磁場を繰り返し反発させる事により、推進力を得る磁力推進飛行体。
【手続補正２】
【補正対象書類名】明細書
【補正対象項目名】全文
【補正方法】変更
【補正の内容】
【発明の詳細な説明】
【技術分野】
【０００１】  本発明は、磁場の反発力により、推進力を得る（加速又は減速が生じる）磁力推進飛行体に関するものである。
【背景技術】
【０００２】  従来の飛行体は、燃焼ガスの噴射の反動力で、加速又は減速している。
【発明の開示】
【発明が解決しようとする課題】
【０００３】  従来の飛行体は、推進燃料を多量に使用するため、推進燃料の製造費が相当に割高である。従って、飛行体の運行費を抑えるための推進手段を提供する事を課題とする。
【課題を解決するための手段】
【０００４】  本発明の磁力推進飛行体の運行費を抑えるための推進手段として、推進燃料より安価なコイル・蓄電池・スイッチ等を使用して、一方の連続的な磁場に相対する他方の断続的な磁場を繰り返し反発させる。
【発明の効果】
【０００５】  本発明の磁力推進飛行体に使用するコイル・蓄電池・スイッチ等は、推進燃料より安価であるため、大量生産が期待できる。
【発明を実施するための最良の形態】
【０００６】  本発明の磁力推進飛行体の進行方向側に一方のコイルを設置して、相対する反進行方向側に他方のコイルを設置する。双方のコイルは、同極同士を向かい合わせとする。コイルの電源は、蓄電池・原子力電池・燃料電池・太陽電池等のいずれか又は複合で使用する。推進力を与える手段として、進行方向側の一方のコイルに連続的な磁場（スイッチを入れる操作）を発生させて、相対する反進行方向側の他方のコイルに断続的な磁場（スイッチの入り切りの繰り返し操作）を発生させる。即ち、一方の連続的な磁場に相対する他方の断続的な磁場を繰り返し反発させる事により、推進力を得る。従って、推進力の方向に加速又は減速が生じる。【０００７】スイッチの入り切りの繰り返し操作で、断続的な磁場の発生周期を相当に速くすると、単位時間当たりの反発作用の回数が増加するため、加速度又は減速度が大きくなる。【０００８】  一方のコイルの断続的な磁場を連続的な磁場に変換して、相対する他方のコイルの連続的な磁場を断続的な磁場に変換すると、推進方向が逆転する。即ち、加速から減速又は減速から加速に切り替わる。
【産業上の利用可能性】
【０００９】  本発明の磁力推進飛行体は、推進作用が働くため、宇宙船等の軌道運行や宇宙空間での加速飛行・減速飛行が利用できる可能性がある。【００１０】  一方のコイルと他方のコイルの磁力が相当に大きくて、断続的な磁場の発生周期が相当に速ければ、地上の打ち上げ基地から飛行体の打ち上げが利用できる可能性がある。
【図面の簡単な説明】
【００１１】
【図１】連続的な磁場が発生するコイルの平面図と磁場発生室の外壁の断面図である。
【図２】断続的な磁場が発生するコイルの平面図と磁場発生室の外壁の断面図である。
【図３】磁場発生室と電気操作室の断面図である。
【符号の説明】
【００１２】    １    磁場発生室の外壁
２    連続的な磁場が発生するコイル（断続的な磁場にも対応）
３    断続的な磁場が発生するコイル（連続的な磁場にも対応）
４    連続的な電気が流れる電線
５    断続的な電気が流れる電線
６    全ての電線
７    電線を通す穴
８    電気操作室の外壁
９    電源（蓄電池・原子力電池・燃料電池・太陽電池等）
１０  スイッチの入り切り（連続的な電気と断続的な電気）を操作する機器
【手続補正３】
【補正対象書類名】図面
【補正対象項目名】図３
【補正方法】変更
【補正の内容】
【図３】
2007154734.tif 000006